(57)【要約】【課題】遮蔽板と面板間に指等を挟みこむ虞がない差圧扉を提供する。【解決手段】面板に開口窓を形成するとともに、前記開口窓を覆うようにスライド可能に遮蔽板を配設し、前記開口窓を覆うまで前記遮蔽板をスライドさせることによって室内外を密封し、前記開口窓を覆った前記遮蔽板を前記開口窓をからスライドさせることによって前記開口窓を通して室内外を連通させるようにした差圧扉であって、前記面板にスライドレールを固設し、前記スライドレールに前記遮蔽板をスライド可能に取り付け、前記遮蔽板をスライドさせる遮蔽板スライド装置を前記面板に取り付け、前記遮蔽板スライド装置を操作することによって、前記遮蔽板を前記開口窓に対してスライドさせた。【選択図】 図３
2009150080.tif 000002
【特許請求の範囲】
【請求項１】
面板に開口窓を形成するとともに、前記開口窓を覆うようにスライド可能に遮蔽板を配設し、前記開口窓を覆うまで前記遮蔽板をスライドさせることによって室内外を密封し、前記開口窓を覆った前記遮蔽板を前記開口窓をからスライドさせることによって前記開口窓を通して室内外を連通させるようにした差圧扉であって、前記面板にスライドレールを固設し、前記スライドレールに前記遮蔽板をスライド可能に取り付け、前記遮蔽板をスライドさせる遮蔽板スライド装置を前記面板に取り付け、前記遮蔽板スライド装置を操作することによって、前記遮蔽板を前記開口窓に対してスライドさせることを特徴とする差圧扉。
【請求項２】
前記遮蔽板スライド装置が、ハンドルと、前記ハンドルの軸に取り付けられたピニオンギアと、前記ピニオンギアに噛み合うラックとで構成され、前記ラックの一端に前記遮蔽板を取り付けることによって、前記ハンドルを操作することで前記遮蔽板を前記面板に沿ってスライドさせることを特徴とする請求項１記載の差圧扉。
【請求項３】
前記開口窓の周囲にパッキンが配設されていることを特徴とする請求項１記載の差圧扉。
【発明の詳細な説明】
【技術分野】
【０００１】
本発明は、扉に関するもので、詳しくは、室内外に差圧がある場合に使用される差圧扉に関するものである。
【背景技術】
【０００２】
例えば、室内に有害物質を置いている場合に、室内の有毒ガスが室外に漏れないようにするために、室内の圧力を室外よりも低く（負圧・減圧）して室外の空気が室内に入ることがあってもその逆が起きないようにしている。このような室における差圧扉は、面板全体が大きくなると差圧が作用するため、場合によっては３００ｋｇ質量／ｍ2〜４００ｋｇ質量／ｍ2が人力では開け難い。
そのため、このような差圧扉には、面板の一部に開口窓を形成するとともに、この開口窓を遮蔽板によって密閉して室内外の密閉を確保しておき、差圧扉を開く際に、遮蔽板を開口窓から離反させることによって小窓を開放し、それによって室内外の圧力差を小さくして差圧扉を容易に開けることができるようにしている（例えば、特許文献１）。
【特許文献１】特開平１０−１３１６４２号公報（図１および図２参照）
【発明の開示】
【発明が解決しようとする課題】
【０００３】
ところで、特許文献１に開示されている差圧調整窓では、窓本体（遮蔽板）に配設したつまみ等を持って引き上げることによって窓本体を開き、窓本体に配設したカウンタウエイトによって窓本体を閉成させている。
したがって、このような窓本体を備えた差圧扉では、操作者の意図に反してつまみが手から外れた場合、窓本体にも差圧がかかっているので窓本体は勢いよく差圧扉にぶつかることになり、指等を挟み込んで怪我をする虞があった。
本発明は、上記事情に鑑みてなされたもので、指等を挟みこむ虞がない安全な差圧扉を提供することを目的としている。
【課題を解決するための手段】
【０００４】
請求項１の差圧扉は、面板に開口窓を形成するとともに、前記開口窓を覆うようにスライド可能に遮蔽板を配設し、前記開口窓を覆うまで前記遮蔽板をスライドさせることによって室内外を密封し、前記開口窓を覆った前記遮蔽板を前記開口窓をからスライドさせることによって前記開口窓を通して室内外を連通させるようにした差圧扉であって、前記面板にスライドレールを固設し、前記スライドレールに前記遮蔽板をスライド可能に取り付け、前記遮蔽板をスライドさせる遮蔽板スライド装置を前記面板に取り付け、前記遮蔽板スライド装置を操作することによって、前記遮蔽板を前記開口窓に対してスライドさせることを特徴としている。
【０００５】
請求項２記載の発明は、請求項１記載の差圧扉において、前記遮蔽板スライド装置が、ハンドルと、前記ハンドルの軸に取り付けられたピニオンギアと、前記ピニオンギアに噛み合うラックとで構成され、前記ラックの一端に前記遮蔽板を取り付けることによって、前記ハンドルを操作することで前記遮蔽板を前記面板に沿ってスライドさせることを特徴としている。
また、請求項３記載の発明は、請求項１記載の差圧扉において、前記開口窓の周囲にパッキンが配設されていることを特徴としている。
【発明の効果】
【０００６】
請求項１記載の発明によれば、遮蔽板を面板の上下に沿ってスライドさせているので、遮蔽板が勢いよく開口窓にぶつかることがないため、遮蔽板によって指が面板に挟まれる虞がなくなる。
また、開口窓が開ききるまでに時間がかかるので開口窓が開ききったときには人力で差圧扉を開けることができる小さな差圧になっているため、従来のような不都合がなくなる。すなわち、従来は、開口窓から遮蔽板を速く除去しても人力で差圧扉を開けることができる差圧までには至っていないので、差圧扉を開けることができるようになるまで何回も差圧扉を開いてみるといった無駄な動作を繰り返す不都合がなくなる。
請求項２記載の発明によれば、遮蔽板スライド装置を簡単な構成で、確実、堅固に実現することができる。
また、請求項３記載発明によれば、前記開口窓の周囲にパッキンを配設したので、気密が確実となる。
【発明を実施するための最良の形態】
【０００７】
以下、本発明に係る差圧扉を、図１〜図３を用いて説明する。
図１〜図３は本発明に係る差圧扉の要部を示した概念斜視図で、図１は遮蔽板が遮蔽時の状態、図２は遮蔽板が半開時の状態、図３は遮蔽板が全開時の状態をそれぞれ示している。
【０００８】
〈差圧扉の構成〉
図１において、本発明に係る差圧扉は、差圧解除ハンドル部１０、上下スライド機構部２０、遮蔽機構部３０、取っ手部４０、ドア部５０に大きく分けられる。
差圧解除ハンドル部１０は、ハンドル１１とハンドル１１の中心に垂直に立設したハンドル軸１２とハンドル軸１２の先端に取り付けられたピニオンギア１４とで構成される。
【０００９】
上下スライド機構部２０は、ピニオンギア１４の歯１４Ｚに噛み合う歯２２Ｚが一側面に形成された長尺のラック２２と、ラック２２をドアの面板５２から所定の距離を離しかつ図で垂直方向に移動可能に支持するラック支持柱２４と、ラック支持柱２４をドアの面板５２に固定するネジ２６と、ラック２２の下方先端に遮蔽板３２を取り付けるネジとで構成される。ラック２２はラック支持柱２４で３面を包囲され、ピニオンギア１４と一側面で対向しているので、垂直方向にのみ移動可能となっている。
【００１０】
遮蔽機構部３０は、ドアの面板５２に開けられた開口部５２Ａを完全に覆う遮蔽板３２と、遮蔽板３２をドアの面板５２に沿って上下方向にスライドさせる２本の遮蔽板ガイド３４、３４とで構成される。遮蔽板３２は幅方向断面で皿状をしており、遮蔽板ガイド３４は幅方向断面でコ字状をしている。２本の開閉板ガイド３４、３４はそれぞれの開口部を互いに内側に向けて、遮蔽板３２の幅方向間隔を開けて対向させて平行配置し、一方のフランジ部でドアの面板５２にネジ等で固定されている。２本の遮蔽板ガイド３４、３４の間に遮蔽板３２を挿入するとき、皿状の遮蔽板３２の底の平らな面がドアの面板５２に接するように、皿状の遮蔽板３２の両フランジ面が遮蔽板ガイド３４、３４の他方のフランジ部に接するように挿入されることで、遮蔽板３２は遮蔽板ガイド３４、３４の中を遮蔽板３２の平らな面がドアの面板５２に接しながらかつ遮蔽板３２の両フランジ面が遮蔽板ガイド３４、３４のフランジ部に接しながら上下に移動（スライド）する。
【００１１】
取っ手部４０は、レバーハンドル４２と、レバーハンドル４２を旋回させることで、扉から出没するピン４４とで構成される。
【００１２】
差圧扉５０は２枚の面板（表板５２と背板５４）で構成され、通常の扉に設けられる付随部品、例えば、シリンダー錠、上下に配置される締め付け装置、ドア枠との間のパッキン等は特に図示しないがここでも設けられている。表板５２と背板５４には、上下移動する遮蔽板３２の最下位置における部位に遮蔽板３２の大きさよりも小さめの開口窓５２Ａ（図３参照）が開けられている。そして、表板５２の開口窓周囲にはパッキン５６が配設されており、遮蔽板３２が最下位置にあるとき、皿状の遮蔽板３２の平らな面がパッキン５６に当接することで、開口窓が遮断され表板５２の表側と裏側間の空気の流通が断たれる。
また、開口窓５２Ａを覆う２本の遮蔽板ガイド３４、３４の間には、図面を見易くするために図示してないが、動物などが出入りしないようにパンチメタル等の多孔板が張ってある。同じく、背板５４の開口窓にも、パンチメタル等の多孔板が張ってある。
【００１３】
〈差圧扉の差圧解除動作〉
次に、遮蔽板３２が表板５２の開口窓５２Ａを遮蔽している状態（図１）から、遮蔽板３２が上昇して開口窓５２Ａを露出させるまで（図３）の差圧解除動作について説明する。
図１において上下移動可能な遮蔽板３２は最下位置にあり、この状態では遮蔽板３２とパッキン５６の働きにより表板５２の表側と裏側間の空気の流通は完全に遮断されている。室内の空気が外部に漏れ出ないようにするため内側の室内圧力は外側の圧力よりも常時低く維持（負圧、減圧）しているので、部屋に隙間があったとしても外側から空気が流入することはあっても室内の有害ガス等が室外へ漏れ出ることはない。
また、この状態で部屋への入室・部屋からの退出をするため、レバーハンドル４２を操作して差圧扉５０を開けようとしても、大きな差圧（３００ｋｇ質量／ｍ2〜４００ｋｇ質量／ｍ2）の下では人力では扉はビクとも開かない。
そこで、本発明による安全な差圧解除機構が以下のように機能する。
【００１４】
図２のように、差圧解除ハンドル部１０を図の矢印方向に回転させるとピニオンギア１４が左回転して、ラック２２が上昇し始め、ラック２２の下端に取り付けられた遮蔽板３２も上昇し始め、遮蔽板３２の下端から表板５２の開口窓５２Ａが露出し始める。
これによって、表板５２の表側の空気が開口窓５２Ａを通って裏側へ流れ始め、大きかった差圧が徐々に小さくなり始める。
【００１５】
図３は差圧解除ハンドル部１０を図の矢印方向に回転させ終わって、ラック２２が最上位置にまで上昇した状態を示している。
したがってラック２２の下端に取り付けられた遮蔽板３２は最上位置にまで上昇し、遮蔽板３２の下端から表板５２の開口窓５２Ａが大きく露出し、表板５２の表側の空気が大量に開口窓５２Ａを通って裏側へ流れ、大きかった差圧がこの時点でようやく人力で差圧扉５０を開けることができるまでに小さくなっている。したがってレバーハンドル４２を旋回させて、差圧扉５０を開けると、差圧扉５０は開き、部屋の入退出が可能となる。
【００１６】
以上のように、本発明によれば、遮蔽板を面板の上下に沿ってスライドさせているので、遮蔽板が勢いよく開口窓にぶつかることがおきないため、遮蔽板によって指が面板に挟まれる虞はない。また、開口窓が開ききるまでに時間がかかるようにしてあり、その時間は開口窓が開ききったときにようやく人力で差圧扉が開くことができるような小さな差圧になるように決めておくことで、従来の不都合、すなわち開口窓から遮蔽板を速く除去しても人力で差圧扉を開けることができる差圧までには至っていないので、差圧扉を開けることができるようになるまで何回も差圧扉を開いてみるといった無駄な動作を繰り返す不都合がなくなる。
また、遮蔽板スライド装置を簡単な構成で、確実、堅固に実現することができる。
また、開口窓の周囲にパッキンを配設したので、気密が確実となる。
【図面の簡単な説明】
【００１７】
【図１】本発明に係る差圧扉の要部を示した概念図で遮蔽板が遮蔽時の状態の斜視図である。
【図２】本発明に係る差圧扉の要部を示した概念図で遮蔽板が半開状態の斜視図である。
【図３】本発明に係る差圧扉の要部を示した概念図で遮蔽板が全開状態の斜視図である。
【符号の説明】
【００１８】
１０  差圧解除ハンドル部
１１  ハンドル
１２  ハンドル軸
１４  ピニオンギア
１４Ｚ  歯
２０  上下スライド機構部
２２  ラック
２２Ｚ  歯
２４  ラック支持柱
２６  ネジ
３０  遮蔽機構部
３２  遮蔽板
３４  遮蔽板ガイド
４０  取っ手部
４２  レバーハンドル
４４  ピン
５０  差圧扉
５２  表板
５２Ａ  開口窓
５４  背板
５６  パッキン
【図１】
2009150080.tif 000003
【図２】
2009150080.tif 000004
【図３】
2009150080.tif 000005